(57)【要約】      （修正有）【課題】光の継ぎ目を目立たなくすることで空間の雰囲気を効果的に演出できる照明を提供する。【解決手段】空間Ｓに光を射出する発光面５０ａに対向する背面板５７と、発光面５０ａと背面板５７との間において発光面５０ａおよび背面板５７の一端側ｓ１に位置し、一端側ｓ１から発光面５０ａおよび背面板５７の他端側ｓ２に向けて光を射出する光源５１と、光源５１よりも背面板５７側に位置し、光源５１から射出された光に基づいて、発光面５０ａの第１位置の輝度を、第１位置よりも一端側ｓ１の発光面５０ａの第２位置の輝度よりも低く調整する輝度調整部５８と、を備える。【選択図】図２
2019197678.tif 000002
【特許請求の範囲】
【請求項１】
空間に光を射出する発光面に対向する背面板と、
前記発光面と前記背面板との間において前記発光面および前記背面板の一端側に位置し、前記一端側から前記発光面および前記背面板の他端側に向けて光を射出する光源と、
前記光源よりも前記背面板側に位置し、前記光源から射出された光に基づいて、前記発光面の第１位置の輝度を、前記第１位置よりも前記一端側の前記発光面の第２位置の輝度よりも低く調整する輝度調整部と、を備える発光装置。
【請求項２】
前記輝度調整部は、前記発光面の輝度を前記一端側から前記他端側に向かって連続的に減少するように調整する、請求項１に記載の発光装置。
【請求項３】
前記輝度調整部は、前記一端側から前記他端側に向かって光反射率が連続的に減少する、請求項２に記載の発光装置。
【請求項４】
前記輝度調整部は、前記発光面に沿って位置し、前記光源から射出された光を吸収する光吸収層を有し、
前記光吸収層は、前記一端側から前記他端側に向かって面積率が増加する、請求項３に記載の発光装置。
【請求項５】
前記輝度調整部は、前記発光面に沿って位置し、前記光源から射出された光を反射する光反射層を有し、
前記光反射層は、前記一端側から前記他端側に向かって面積率が減少する、請求項３に記載の発光装置。
【請求項６】
前記光源に対面するように前記発光面と前記輝度調整部との間に位置する導光板を更に備える、請求項４または５に記載の発光装置。
【請求項７】
前記輝度調整部は、前記背面板の前面に位置する、請求項４又は５に記載の発光装置。
【請求項８】
前記背面板の前面は、反射面である、請求項７に記載の発光装置。
【請求項９】
前記輝度調整部は、前記導光板の背面に位置する、請求項６に記載の発光装置。
【請求項１０】
前記発光面に対面する化粧シートを更に備える、請求項１乃至９のいずれか一項に記載の発光装置。
【請求項１１】
前記化粧シートは、前記発光面に対面する発光領域と、前記発光領域に隣接する非発光領域と、を有し、
前記非発光領域は、前記他端側において前記発光領域に隣接する、請求項１０に記載の発光装置。
【請求項１２】
前記化粧シートは、前記発光面に対面する発光領域を有する第１化粧シートと、前記発光領域から離間して位置する非発光領域を有する第２化粧シートと、を有し、
前記第２化粧シートは、前記他端側において前記第１化粧シートから離間して位置する、請求項１０に記載の発光装置。
【請求項１３】
少なくとも前記非発光領域に対面して配置されたボードを更に備える、請求項１１または１２に記載の発光装置。
【請求項１４】
前記発光面を有する化粧シートを更に備える、請求項１乃至９に記載の発光装置。
【請求項１５】
前記化粧シートは、
前記一端側から前記他端側に向かう方向に交差する方向の前記発光装置の端部において前記発光面と前記背面板との間を覆う第３化粧シートを有する請求項１乃至１４のいずれか一項に記載の発光装置。
【請求項１６】
前記発光面および前記背面板の少なくとも一方が湾曲している、請求項１乃至１５のいずれか一項に記載の発光装置。
【請求項１７】
前記発光面および前記背面板の少なくとも一方が平坦である、請求項１乃至１６のいずれか一項に記載の発光装置。
【請求項１８】
請求項１〜１７のいずれか一項に記載の発光装置用の組立キットであって、
前記発光面を有する拡散板または化粧シートと、
前記背面板と、
前記光源と、
前記輝度調整部と、を備える組立キット。
【請求項１９】
請求項１〜１７のいずれか一項に記載の発光装置または請求項１８に記載の組立キットを備える建材パネル。
【請求項２０】
請求項１９に記載の建材パネルを備える構造体。
【請求項２１】
請求項１８に記載の組立キットを設置する工程を備える、構造体の製造方法。
【発明の詳細な説明】
【技術分野】
【０００１】
本発明は、光を発光する発光装置、この発光装置用の組立キット、発光装置または組立キットを含む建材パネル又は構造体、並びに、構造体の製造方法に関する。
【背景技術】
【０００２】
光を発光する発光装置が種々の分野で広く利用されている。例えば特許文献１では、発光装置を照明装置として用いた例が開示されている。特許文献１の発光装置は、構造体である天井や壁の化粧面等に向けて光を照射する間接照明装置として、用いられている。このような間接照明装置によれば、隠蔽されて直接的に視認され得ない光源からの光が、空間ではなく、空間を区画する構造体に向けて照射されることで、空間の広がりを強調することができる。
【先行技術文献】
【特許文献】
【０００３】
【特許文献１】特開２０１１−２１０５９４号公報
【発明の概要】
【発明が解決しようとする課題】
【０００４】
しかしながら、特許文献１に開示された発光装置では、光源を収容する筐体の前面カバーを摺動させることで、筐体から外部に出射される光の光量を調整している。したがって、出射光量が調整されているものの、光の継ぎ目の存在が容易に把握される。このため、従来の発光装置は、光の継ぎ目を目立たなくすることができず、空間の雰囲気を十分に演出して高めることができなかった。
【０００５】
本発明は、以上の点を考慮してなされたものであり、光の継ぎ目を目立たなくすることで空間の雰囲気を効果的に演出することができる照明の実現を目的とする。
【課題を解決するための手段】
【０００６】
本開示による発光装置は、
空間に光を射出する発光面に対向する背面板と、
前記発光面と前記背面板との間において前記発光面および前記背面板の一端側に位置し、前記一端側から前記発光面および前記背面板の他端側に向けて光を射出する光源と、
前記光源よりも前記背面板側に位置し、前記光源から射出された光に基づいて、前記発光面の第１位置の輝度を、前記第１位置よりも前記一端側の前記発光面の第２位置の輝度よりも低く調整する輝度調整部と、を備える。
【０００７】
本開示による発光装置において、
前記輝度調整部は、前記発光面の輝度を前記一端側から前記他端側に向かって連続的に減少するように調整してもよい。
【０００８】
本開示による発光装置において、
前記輝度調整部は、前記一端側から前記他端側に向かって光反射率が連続的に減少してもよい。
【０００９】
本開示による発光装置において、
前記輝度調整部は、前記発光面に沿って位置し、前記光源から射出された光を吸収する光吸収層を有し、
前記光吸収層は、前記一端側から前記他端側に向かって面積率が増加してもよい。
【００１０】
本開示による発光装置において、
前記輝度調整部は、前記発光面に沿って位置し、前記光源から射出された光を反射する光反射層を有し、
前記光反射層は、前記一端側から前記他端側に向かって面積率が減少してもよい。
【００１１】
本開示による発光装置において、
前記光源に対面するように前記発光面と前記輝度調整部との間に位置する導光板を更に備えてもよい。
【００１２】
本開示による発光装置において、
前記輝度調整部は、前記背面板の前面に位置してもよい。
【００１３】
本開示による発光装置において、
前記背面板の前面は、反射面であってもよい。
【００１４】
本開示による発光装置において、
前記輝度調整部は、前記導光板の背面に位置してもよい。
【００１５】
本開示による発光装置において、
前記発光面に対面する化粧シートを更に備えてもよい。
【００１６】
本開示による発光装置において、
前記化粧シートは、前記発光面に対面する発光領域と、前記発光領域に隣接する非発光領域と、を有し、
前記非発光領域は、前記他端側において前記発光領域に隣接してもよい。
【００１７】
本開示による発光装置において、
前記化粧シートは、前記発光面に対面する発光領域を有する第１化粧シートと、前記発光領域から離間して位置する非発光領域を有する第２化粧シートと、を有し、
前記第２化粧シートは、前記他端側において前記第１化粧シートから離間して位置してもよい。
【００１８】
本開示による発光装置において、
少なくとも前記非発光領域に対面して配置されたボードを更に備えてもよい。
【００１９】
本開示による発光装置において、
前記発光面を有する化粧シートを更に備えてもよい。
【００２０】
本開示による発光装置において、
前記化粧シートは、
前記一端側から前記他端側に向かう方向に交差する方向の前記発光装置の端部において前記発光面と前記背面板との間を覆う第３化粧シートを有してもよい。
【００２１】
本開示による発光装置において、
前記発光面および前記背面板の少なくとも一方が湾曲していてもよい。
【００２２】
本開示による発光装置において、
前記発光面および前記背面板の少なくとも一方が平坦であってもよい。
【００２３】
本開示による組立キットは、
上述した本開示によるいずれかの発光装置に用いられる組立キットであって、
前記発光面を有する拡散板または化粧シートと、
前記射出部と、
前記背面板と、
前記光源と、
前記輝度調整部と、を備える。
【００２４】
本開示による建材パネルは、
上述した本開示によるいずれかの発光装置または上述した本開示によるいずれかの組立キットを備える。
【００２５】
本開示による構造体は、
上述した本開示によるいずれかの建材パネルを備える。
【００２６】
本開示による構造体の製造方法は、上述した本開示によるいずれかの組立キットを設置する工程を備える。
【発明の効果】
【００２７】
本発明によれば、光の継ぎ目を目立たなくすることで空間の雰囲気を効果的に演出することができる。
【図面の簡単な説明】
【００２８】
【図１】図１は、一実施の形態を説明するための図であって、照明システムを示す斜視図である。
【図２】図２は、図１の縦断面図である。
【図３】図３は、図１の照明システムに含まれる発光装置を示す縦断面図である。
【図４】図４は、図１の照明システムに含まれる発光装置を示す平面図である。
【図５】図５は、図１の照明システムに含まれる発光装置を示す拡大断面図である。
【図６】図６は、図１の照明システムに含まれる発光装置を示す分解斜視図である。
【図７】図７は、図３に対応する図であって、発光装置の他の具体例を示す縦断面図である。
【図８】図８は、図３に対応する図であって、発光装置の更に他の具体例を示す縦断面図である。
【図９】図９は、図８に示される発光装置の分解斜視図である。
【図１０】図１０は、図３に対応する図であって、発光装置の更に他の具体例を示す縦断面図である。
【図１１】図１１は、図６に対応する図であって、発光装置の更に他の具体例を示す拡大断面図である。
【図１２】図１２は、図２に対応する図であって、発光装置の更に他の具体例を縦断面図である。
【図１３】図１３は、図３に対応する図であって、発光装置の更に他の具体例を示す拡大断面図である。
【図１４】図１４は、図５に対応する図であって、発光装置の更に他の具体例を示す拡大断面図である。
【図１５】図１５は、図５に対応する図であって、発光装置の更に他の具体例を示す拡大断面図である。
【図１６】図１６は、図５に対応する図であって、発光装置の更に他の具体例を示す拡大断面図である。
【図１７】図１７は、図５に対応する図であって、発光装置の更に他の具体例を示す拡大断面図である。
【図１８】図１８は、図５に対応する図であって、発光装置の更に他の具体例を示す拡大断面図である。
【図１９】図１９は、図５に対応する図であって、発光装置の更に他の具体例を示す拡大断面図である。
【図２０】図２０は、図２に対応する図であって、発光装置の更に他の具体例を縦断面図である。
【図２１】図２１は、図２に対応する図であって、発光装置の更に他の具体例を縦断面図である。
【発明を実施するための形態】
【００２９】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。
【００３０】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３１】
さらに、本明細書において、「シート」、「フィルム」、「板」の用語は、呼称の違いのみに基づいて、互いから区別されるものではない。例えば、「板」はシートやフィルムと呼ばれ得るような部材も含む概念である。したがって、「導光板」とは、「導光シート」や「導光フィルム」と呼称の相違のみにおいて区別されない。
【００３２】
さらに、「シート面（フィルム面、板面）」とは、対象となるシート状（フィルム状、板状）の部材を全体的かつ大局的に見た場合において対象となるシート状（フィルム状、板状）の部材の平面と一致する面のことを指す。また、シート状（フィルム状、板状）の部材に対する法線方向とは、当該シート状（フィルム状、板状）の部材のシート面（フィルム面、板面）への法線方向のことを指す。
【００３３】
図１〜図２１は、一実施の形態の複数の具体例を説明するための図である。このうち図１及び図２は、それぞれ、照明システム１０の一例を示す斜視図または縦断面図である。本実施の形態における照明システム１０は、少なくとも部分的に構造体２によって区画された空間Ｓの照明および演出に用いられる装置である。照明システム１０は、空間に照明光を照射する照明器具１５と、構造体２に組み込まれた発光装置２０と、を有している。
【００３４】
図示された例において、構造体２は、建物１の構成要素として、天井ｃ、壁ｗ及び床ｆを含んでいる。照明器具１５は、天井ｃに取り付けられている。発光装置２０は、全体として板状に形成され、建材パネルを構成している。図２に示すように、発光装置２０は、壁本体ｗａに重ねられ、壁本体ｗａとともに、建物１の壁ｗをなすようにしてもよい。このような例において、発光装置２０の構成要素が、建材パネル２０や構造体２を作製するための組立キット４として取り扱われ、流通や販売されるようにしてもよい。或いは、建材パネル２０が、壁本体ｗａをともなわずに単独で、建物１の壁ｗをなすようにしてもよい。
【００３５】
図１及び図２に示すように、照明器具１５は、天井ｃに取り付けられ、照明光Ｌｘを空間Ｓに上方から放出する。照明器具１５は、天井ｃに固定されていてもよいし、天井ｃから吊り下げられていてもよい。照明器具１５は、人の視覚を通した空間Ｓ内の把握を補助するものである。したがって、照明器具１５として、一般的な、室内照明用の器具を用いることができる。照明器具１５から射出する照明光Ｌｘは、特に限定されないが、白色系とすることで自然な照明を可能とすることができる。
【００３６】
図２に示すように、発光装置２０は、空間Ｓに光を射出する発光面５０ａを有し、光源５１から射出した光を面状光に変換して発光面５０ａから空間Ｓに射出する装置である。図２に示す例において、発光装置２０は、エッジライト型の面光源装置として構成されている。発光面５０ａの或る位置すなわち第１位置における輝度は、当該位置よりも発光面５０ａの一端側ｓ１の位置すなわち第２位置における輝度よりも低い。
【００３７】
発光面５０ａは、第１方向ｄ１に沿って位置する。図２の例において、第１方向ｄ１は、鉛直方向である。また、発光面５０ａの一端側ｓ１は、発光面５０ａの上端側であり、発光面５０ａの他端側ｓ２は、発光面５０ａの下端側である。以下、一端側ｓ１のことを、上端側または上側と呼び、また、他端側ｓ２のことを、下端側または下側と呼ぶこともある。また、第１方向ｄ１のことを、鉛直方向と呼ぶこともある。なお、図１では、発光面５０ａの輝度を反映した発光装置２０からの出射光量を濃淡により示しており、出射光量が多くなる領域を濃く示している。
【００３８】
このように、発光面５０ａの第１位置における輝度を第２位置における輝度よりも低くすることで、空間Ｓの雰囲気を効果的に高めることが可能となる。とりわけ、発光面５０ａの下端側ｓ２の縁部での輝度を低減することで、光の継ぎ目を目立たなくすることができる。これにより、空間Ｓの雰囲気をより効果的に高めることが可能となる。
【００３９】
発光装置２０の更に具体的な構成について説明すると、発光装置２０は、拡散板の一例である光拡散板５６と、背面板の一例である反射板５７と、光源５１とを備える。反射板５７には、輝度調整部の一例である輝度調整層５８が設けられている。また、発光装置２０は、導光板６０と、化粧シート４０と、上部フレーム２１Ａと、下部フレーム２１Ｂと、上部スペーサ２３Ａと、下部スペーサ２３Ｂと、接着材２４とを備える。
【００４０】
なお、上部フレーム２１Ａおよび下部フレーム２１Ｂは、例えば、アルミニウム等の金属で構成されていてもよい。上部スペーサ２３Ａおよび下部スペーサ２３Ｂは、例えば、アクリル等の樹脂で構成されていてもよい。
【００４１】
図示されている例において、発光面５０ａは、光拡散板５６の外側表面すなわち射出側の表面である。
【００４２】
光拡散板５６は、光拡散機能を有する。具体的には、光拡散板５６は、光源５１から射出されて導光板６０を経由した光Ｌを拡散させて発光面５０ａから射出する。これにより、透過光に起因した輝度角度分布を整えることができる。光拡散板５６で拡散された光は、発光面５０ａから射出した後に化粧シート４０に入射する。光拡散板５６には、光拡散機能を発揮し得る種々の構成を採用することができる。光拡散板５６が有する拡散特性は、等方性であってもよいし、異方性であってもよい。
【００４３】
反射板５７は、発光面５０ａに対向し、光源５１から射出された光を発光面５０ａ側に反射する部材である。
【００４４】
より具体的には、反射板５７は、導光板６０の裏面６０ｂに対面して配置されている。反射板５７は、裏面６０ｂから出射する光を反射して、導光板６０及び光拡散板５６へ向けることができる。反射板５７を設けることで、発光面５０ａの輝度を増大させることができる。これにより、光源５１から射出した光の利用効率を向上させることができる。反射板５７には、光反射機能を発揮し得る種々の構成を採用することができる。反射板５７の反射特性は、正反射であってもよいし、拡散反射であってもよい。反射板５７が有する拡散反射特性は、等方性であってもよいし、異方性であってもよい。
【００４５】
放熱性を高めるため、反射板５７は、例えば、アルミニウムで構成されていてもよい。軽量化およびコスト削減の観点から、反射板５７は、アルミ複合板であることが好ましい。
【００４６】
また、後述する輝度調整層５８とともに発光面５０ａの輝度を調整するため、反射板５７には、反射板５７に入射した光の反射率を調整するための複数の開孔が設けられていてもよい。
【００４７】
光源５１は、発光面５０ａと反射板５７との間において発光面５０ａおよび反射板５７の上端側ｓ１に位置し、発光面５０ａおよび反射板５７の上端側ｓ１から発光面５０ａおよび反射板５７の下端側ｓ２に向けて光を射出する。
【００４８】
より具体的には、光源５１は、光を発光する発光体５２を有している。発光体５２は、特に限定されることなく、光を発光する種々の部材を広く用いることができる。具体的には、例えば、冷陰極管、点状の発光ダイオード（ＬＥＤ）、白熱電球、レーザー発振装置等を、光源５１の発光体５２として、用いることができる。図示された例において、光源５１は、複数の点状の発光体５２を有している。この発光体５２は、例えば発光ダイオードによって構成される。図２〜図４示された例において、複数の発光体５２は、上部フレーム２１Ａによって保持されている。図４に示すように、複数の発光体５２は、上部フレーム２１Ａの長手方向である第２方向ｄ２に沿って、間隔をあけて配列されている。図示されている例において、第２方向ｄ２は、水平方向である。以下、第２方向ｄ２のことを、水平方向ｄ２と呼ぶこともある。なお、図４に示された例では、二つの発光装置２０が、水平方向ｄ２に配列されている。
【００４９】
輝度調整層５８は、光源５１よりも反射板５７側に位置し、発光面５０ａの輝度を調整する層である。
【００５０】
輝度調整層５８は、光源５１から射出された光に基づいて、発光面５０ａの第１位置の輝度を、第１位置よりも一端側ｓ１の発光面５０ａの第２位置の輝度よりも低く調整する。
【００５１】
このように、光源５１よりも反射板５７側に位置する輝度調整層５８によって発光面５０ａの第１位置の輝度を発光面５０ａの第２位置の輝度よりも低く調整することで、輝度調整層５８による意匠性の低下を抑制しつつ、発光面５０ａの他端側ｓ２の縁部での輝度を低減することができる。これにより、空間Ｓの雰囲気を更に効果的に高めることが可能となる。
【００５２】
また、輝度調整層５８は、一端側ｓ１から他端側ｓ２に向かって光反射率が連続的に減少する。これにより、光の継ぎ目を更に効果的に目立ち難くすることができるので、空間Ｓの雰囲気を更に効果的に高めることが可能となる。
【００５３】
また、図６に示される例において、輝度調整層５８は、発光面５０ａに沿って位置し、光源５１から射出された光を吸収する光吸収層５８１を有する。光吸収層５８１は、一端側ｓ１から他端側ｓ２に向かって反射板５７に対する面積率が増加する。これにより、一端側ｓ１から他端側ｓ２に向かって光吸収率を連続的に増加させることで、一端側ｓ１から他端側ｓ２に向かって光反射率を連続的に減少させることができる。
【００５４】
また、光吸収層５８１は、反射板５７の前面５７ａである反射面に位置する。これにより、一端側ｓ１から他端側ｓ２に向かって反射板５７による光反射率を連続的に減少させることができる。
【００５５】
図６の例において、光吸収層５８１は、樹脂フィルムなどの透明基材５８０上に印刷や塗布によって形成された黒インキ層で構成されている。より詳しくは、光吸収層５８１は、一端側ｓ１から他端側ｓ２に向かって直径が大きくなる複数の円形ドット状の黒色インキ層で構成されている。黒色インキ層のパターンは、図６のように円形に限定されるものではなく、矩形等の種々の形状を採用することができる。
【００５６】
透明基材５８０は、例えば、ポリエチレンテレフタレートなどで構成されていてもよい。黒インキ層は、例えば、カーボンブラックや、その他の黒色顔料で構成されていてもよい。透明基材５８０上への印刷や塗布によって光吸収層５８１を構成することで、光吸収層５８１の面積率を簡便に調整することができる。
【００５７】
また、光吸収層５８１は、透明基材５８０を介することなく、反射板５７の反射面５７ａ上に直接形成されていてもよい。
【００５８】
導光板６０は、光源５１に対面するように発光面５０ａと輝度調整層５８との間に位置し、光源５１から射出された光を発光面５０ａ側に導光する部材である。
【００５９】
より具体的には、導光板６０は、一対の主面６０ａ，６０ｂと、一対の主面６０ａ，６０ｂ間に位置する側面と、を有した板状の部材である。一方の主面が出光面６０ａをなし、他方の主面が裏面６０ｂをなしている。主面６０ａ，６０ｂは、典型的には、平面視矩形形状となる。主面６０ａ，６０ｂは、鉛直方向ｄ１に沿って延びる一対の側縁と、鉛直方向ｄ１に直交する水平方向ｄ２に沿って延びる一対の側縁と、を有している。側面は、鉛直方向ｄ１において互いに対向する入光面６０ｃと反対面６０ｄとを含んでいる。
【００６０】
図２及び図３に示すように、入光面６０ｃは、鉛直方向ｄ１における上側ｓ１に位置している。入光面６０ｃは、上部フレーム２１Ａに沿うようにして水平方向ｄ２に延びている。そして、入光面６０ｃは、上部フレーム２１Ａに保持された複数の発光体５２に対面している。複数の発光体５２は、入光面６０ｃの長手方向である第２方向ｄ２に沿って、間隔をあけて配列されている。
【００６１】
図５に示すように、光源５１から射出した光は、導光板６０に入射して導光板６０内を進む。導光板６０は、取出要素６１を含んでいる。取出要素６１は、導光板６０内を進む光Ｌ１，Ｌ２の進行方向を変化させる。より詳しくは、光源５１から射出した光は、導光板６０に入光面６０ｃから入射し、反射とりわけ全反射することで当該導光板６０内を進む。導光板６０内を進む光Ｌ１，Ｌ２は、取出要素６１によって進行方向を変化させること、とりわけ散乱することで、導光板６０の一対の主面６０ａ，６０ｂに全反射臨界角度未満の入射角度で入射して導光板６０から出射することが可能となる。
【００６２】
取出要素６１で進行方向を変えられた光は、一対の主面６０ａ，６０ｂのいずれかを介して、導光板６０から出射する。導光板６０の出光面６０ａに対面して、既述した光拡散板５６が設けられている。導光板６０の出光面６０ａから出射した光Ｌ１，Ｌ２は、光拡散板５６に入射し、光拡散板５６の発光面５０ａから射出される。また、導光板６０の裏面６０ｂに対面して、既述した反射板５７が設けられている。反射板５７は、裏面６０ｂから出射する光を反射して、導光板６０及び光拡散板５６へ向けることができる。
【００６３】
取出要素６１として、導光板６０内を進む光の進行方向を変更し得る種々の要素を用いることができる。図５に示された例において、導光板６０は、板状の導光板本体６５を有している。導光板本体６５は、導光板６０の一方の主面を形成するようになる面として、凹凸面６５ａを有している。図示された例において、導光板６０の裏面６０ｂが、この凹凸面６５ａによって形成されている。凹凸面６５ａは、導光板本体６５に凹部６５ｂを設けることで形成されている。この例において、導光板本体６５は、可視光透過性を有した樹脂から形成され得る。
【００６４】
図２および図３に示される例において、導光板６０の主面６０ａ、６０ｂの上端部には、接着材２４を介して上部スペーサ２３Ａが接着されている。上部スペーサ２３Ａは、導光板６０の主面６０ａ、６０ｂと上部フレーム２１Ａの内表面２１１Ａとの間隙を埋める部材である。上部スペーサ２３Ａを介して、導光板６０の上端部を上部フレーム２１Ａに保持することができる。なお、図３の例において、上部フレーム２１Ａは、水平方向ｄ２に沿って配置され、光源５１を保持する上壁部２１ａと、発光面５０ａ側の上壁部２１ａの一端から下方ｓ２に延在する前壁部２１ｂと、反射板５７側の上壁部２１の他端から下方ｓ２に延在する後壁部２１ｃとを有する。上部フレーム２１Ａの内表面２１１Ａは、前壁部２１ｂおよび後壁部２１ｃの内表面である。
【００６５】
また、図２および図３に示される例において、導光板６０の主面６０ａ、６０ｂの下端部には、接着材２４を介して下部スペーサ２３Ｂが接着されている。下部スペーサ２３Ｂは、導光板６０の主面６０ａ、６０ｂと下部フレーム２１Ｂの内表面２１１Ｂとの間隙を埋める部材である。下部スペーサ２３Ｂを介して、導光板６０の下端部を下部フレーム２１Ｂに保持することができる。なお、図３の例において、下部フレーム２１Ｂは、水平方向ｄ２に沿って配置された下壁部２１ｄと、発光面５０ａ側の下壁部２１ｄの一端から上方ｓ１に延在する前壁部２１ｅと、反射板５７側の下壁部２１ｄの他端から上方ｓ１に延在する後壁部２１ｆとを有する。下部フレーム２１Ｂの内表面２１１Ｂは、前壁部２１ｅおよび後壁部２１ｆの内表面である。
【００６６】
発光面５０ａ側の上部フレーム２１Ａの外表面２１２Ａには、接着材２４を介して光拡散板５６の上端側の所定範囲の部分が接着されている。反射板５７側の上部フレーム２１Ａの外表面２１３Ａには、接着材２４を介して輝度調整層５８の上端側の所定範囲の部分が接着されている。
【００６７】
発光面５０ａ側の下部フレーム２１Ｂの外表面２１２Ｂには、接着材２４を介して光拡散板５６の下端側の所定範囲の部分が接着されている。反射板５７側の下部フレーム２１Ｂの外表面２１３Ｂには、接着材２４を介して輝度調整層５８の下端側の所定範囲の部分が接着されている。
【００６８】
このように、図３の例による発光装置２０によれば、スペーサ２３Ａ、２３Ｂおよび接着剤２４を用いて発光装置２０の各構成部すなわち組立キットを簡便に連結することができる。すなわち、発光装置２０を容易に組み立てることができる。
【００６９】
化粧シート４０は、発光面５０ａに対面する。化粧シート４０は、空間Ｓに露出している。すなわち、化粧シート４０は、構造体２の化粧面２ａを形成する。そして、化粧シート４０は、発光装置２０の最出光側の面を形成する。化粧シート４０として、建築物の壁紙、床及び天井等の内装材、車両等の移動体の内装材、家具や電気機器等の最表面を形成する部材等を用いることができる。
【００７０】
化粧シート４０によれば、発光面５０ａを隠蔽することで、発光面５０ａが剥き出しの場合と比較して、光の継ぎ目を更に目立たなくすることができる。これにより、空間Ｓの雰囲気を更に効果的に高めることができる。
【００７１】
図６に示すように、化粧シート４０は、発光面５０ａに対面する発光面化粧シート部４０ａと、発光装置２０の上側ｓ１の端部において発光面５０ａと反射板５７との間を覆う上端化粧シート部４０ｂと、発光装置２０の下側ｓ２の端部において発光面５０ａと反射板５７との間を覆う下端化粧シート部４０ｃと、発光装置２０の左側ｓ３の端部において発光面５０ａと反射板５７との間を覆う左端化粧シート部４０ｄと、発光装置２０の右側ｓ４の端部において発光面５０ａと反射板５７との間を覆う右端化粧シート部４０ｅとを有する。左端化粧シート部４０ｄおよび右端化粧シート部４０ｅは、一端側ｓ１から他端側ｓ２に向かう方向ｄ１に交差する方向ｄ２の発光装置２０の端部において発光面５０ａと前記背面板との間を覆う第３化粧シートの一例である。左端化粧シート部４０ｄおよび右端化粧シート部４０ｅを有することで、発光装置２０の側面からの光漏れを抑制することができる。これにより、空間Ｓの雰囲気を更に効果的に高めることができる。なお、上端化粧シート部４０ｂ、下端化粧シート部４０ｃ、左端化粧シート部４０ｄおよび右端化粧シート部４０ｅは、更に、反射板５７の背面を覆っていてもよい。また、図６の例において、左端化粧シート部４０ｄと導光板６０の左側面との間、および右端化粧シート部４０ｅと導光板６０の右側面との間には、それぞれ遮光層が設けられていてもよい。
【００７２】
上述したように、本実施形態の発光装置２０は、光源５１よりも反射板５７側に輝度調整層５８を備える。
【００７３】
ここで、もし、輝度調整層５８が光源５１よりも発光面５０ａ側に位置する場合、化粧シート４０および光拡散板５６越しに輝度調整層５８の存在が空間Ｓの利用者によって認識され得るおそれがある。すなわち、光の継ぎ目を目立たなくするための輝度調整層５８が却って面状光の意匠性を低下させるおそれがある。
【００７４】
これに対して、本実施形態の発光装置２０では、光源３よりも反射板５７側に輝度調整層５８が位置することで、輝度調整層５８の存在を認識させることなく、発光面５０ａの第１位置の輝度を、第１位置よりも一端側ｓ１の発光面５０ａの第２位置の輝度よりも低く調整することができる。
【００７５】
これにより、輝度調整層５８による意匠性の低下を抑制しつつ、発光面５０ａの他端側ｓ２の縁部での輝度を低減することができる。したがって、空間Ｓの雰囲気を効果的に高めることが可能となる。
【００７６】
以下、発光装置２０の他の例について説明する。図７の例に示される発光装置２０は、図３の発光装置２０に対して導光板６０および光拡散板５６を保持するためのスペーサ２３Ａ、２３Ｂなどが省略されている点が異なる。
【００７７】
また、図７の例において、下部フレーム２１Ｂは、黒色樹脂などの遮光性を有する材料で構成されている。これにより、導光板６０を有しないために下方ｓ２に進行する光の光量が多くなったとしても、下部フレーム２１Ｂで光を吸収することで、発光面５０ａの下端部からの光漏れを抑制することができる。
【００７８】
図７の発光装置２０において、光源５１から射出された光の一部は、空気層を介して反射板５７に入射し、反射板５７から発光面５０ａ側に反射される。このとき、輝度調整層５８は、図３の輝度調整層５８と同様に、発光面５０ａの第１位置の輝度を、第１位置よりも一端側ｓ１の発光面５０ａの第２位置の輝度よりも低く調整することができる。
【００７９】
したがって、図７の発光装置２０によれば、図３の発光装置２０と同様に、輝度調整層５８による意匠性の低下を抑制しつつ、発光面５０ａの他端側ｓ２の縁部での輝度を低減することができる。これにより、空間Ｓの雰囲気を効果的に高めることが可能となる。また、図７の発光装置２０によれば、光拡散板５６を省略することで、軽量化およびコスト削減が可能となる。
【００８０】
なお、他の例として、図８および図９に示すように、図７の構成に加えて、更に、上部フレーム２１Ａおよび下部フレーム２１Ｂの両端部において上部フレーム２１Ａと下部フレーム２１Ｂとの間隔を保持する端部スペーサ２６を配置してもよい。
【００８１】
更に、他の例として、図１０に示される発光装置２０は、図３の発光装置２０に対して、輝度調整層５８が導光板６０の背面に位置する点が異なる。なお、図１０の例においても、輝度調整層５８は、光源５１よりも反射板５７側に位置している。図１０の例においても、輝度調整層５８による意匠性の低下を抑制しつつ、発光面５０ａの他端側ｓ２の縁部での輝度を低減することができる。
【００８２】
更に、他の例として、図１１に示される発光装置２０は、輝度調整層５８が光源５１から射出された光を反射する光反射層５９１を有する点で、図６の構成と異なる。光反射層５９１は、光反射層５９１は、一端側ｓ１から他端側ｓ２に向かって面積率が減少している。
【００８３】
光反射層５９１は、透明基材５８０の表面に印刷や塗布によって形成された白インキ層や、透明基材５８０の表面に蒸着によって形成された酸化アルミニウム等のミラー層であってもよい。この場合、光反射層５９１の面積率を簡便に調整することができる。また、光反射層５９１は、透明基材５８０を介さずに反射板５７の反射面５７ａに直接形成されていてもよい。
【００８４】
更に、他の例として、図１２に示される発光装置２０は、化粧シート４０が、発光面５０ａに対面する発光領域Ｚ１と、発光領域Ｚ１に隣接する非発光領域Ｚ２と、を有する。非発光領域Ｚ２は、下端側ｓ２において発光領域Ｚ１に隣接する。また、図１２の発光装置２０は、非発光領域Ｚ２に対面して配置されたボード３０を更に備える。
【００８５】
化粧シート４０は、発光領域Ｚ１において、発光面５０ａにより背面側から光Ｌを照射される。化粧シート４０は、少なくとも発光領域Ｚ１において、可視光透過性を有している。このため、発光面５０ａから射出した光の少なくとも一部が、化粧シート４０の発光領域Ｚ１を透過することができる。このように化粧シート４０は透過照明されることから、透過率の比較的高い白色系の壁紙が化粧シート４０として好適に用いられる。ただし、透過率の比較的低い壁紙、例えば木目調の壁紙でも十分有効に透過照明されるため、化粧シート４０の柄等は特に限定されるものではない。化粧シート４０の発光領域Ｚ１における可視光線透過率は、１．０％以上であることが好ましく、５％以上であることがより好ましく、８％以上であることがさらに好ましい。また、透過率が高すぎると化粧シート４０としての意匠性が低下するため、化粧シート４０の発光領域Ｚ１における可視光線透過率は、５０％以下であることが好ましく、４０％以下であることがより好ましく、３０％以下であることがさらに好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率測定し、同規格に規定される算出式により算出したものである。
【００８６】
図１２に示すように、発光領域Ｚ１及び非発光領域Ｚ２は、鉛直方向ｄ１に配列されている。発光領域Ｚ１は、鉛直方向ｄ１における上側ｓ１に位置し、非発光領域Ｚ２は、鉛直方向ｄ１における下側ｓ２に位置している。
【００８７】
なお、発光装置２０による空間の雰囲気を高める効果を期待する観点から、化粧シート４０の発光領域Ｚ１及び非発光領域Ｚ２の境界を目立たなくさせることが好ましい。この点から、化粧シート４０は、発光領域Ｚ１及び非発光領域Ｚ２において、同一の構成を有していることが好ましい。
【００８８】
図１２に示すように、ボード３０は、板状の部材である。ボード３０は、少なくとも化粧シート４０の非発光領域Ｚ２に対面して配置される。化粧シート４０は、ボード３０に貼合されていてもよい。この場合、ボード３０によって、化粧シート４０を安定して支持することができる。
【００８９】
図１２に示された例において、ボード３０は、非発光領域Ｚ２及び発光領域Ｚ１の両方に対面して配置されている。このボード３０は、発光領域Ｚ１に対面する位置に凹部３１を設けられている。ボード３０の凹部３１内に、発光装置２０の面状光の発光に関与する部分５０ａ、５１、５６、５７、５８が収容されている。以下、これらの発光に関与する部分のことを発光装置２０の面光源部５０とも呼ぶ。
【００９０】
図１２の例によれば、ボード３０によって、面光源部５０を安定して支持することができる。また、図示されている例において、ボード３０には、留具２２が設けられており、この留具２２は、ボード３０上に面光源部５０を固定する。また、留具２２に加えて又は留具２２に代えて、接着剤や粘着剤などを含む接合層によって、ボード３０上に面光源部５０を固定するようにしてもよい。
【００９１】
面光源部５０の発光面５０ａは、化粧シート４０の非発光領域Ｚ２に対面するボード３０の表面３０ａと、同一面上に位置していることが好ましい。このように位置決めされたボード３０及び面光源部５０上に、化粧シート４０が積層される。この場合、ボード３０の表面３０ａと面光源部５０の発光面５０ａとの間に段差が形成されにくくなり、化粧シート４０越しにこの段差が視認されることに起因した化粧シート４０の意匠性低下を効果的に抑制することができる。さらには、発光装置２０の発光時に面光源部５０の存在を効果的に目立たなくさせることができ、後述する発光装置２０による空間Ｓの雰囲気を高める効果がより顕著に奏されるようになる。
【００９２】
ボード３０は、化粧シート４０の用途に応じて決定される。化粧シート４０が、壁、床、天井等の表面を加飾する部材をなす場合、一例として、ボード３０は、種樹木の木材からなる単板、合板、集成材、パーチクル板、纖維板等の木製板材、コンクリート、モルタル等のセメント系材料、石膏ボード、珪酸カルシウム等からなる無機非金屬板、或いは鉄、アルミニウム等からなる金屬板となる。化粧シート４０が、車両等の移動体の内装材をなす場合、ボード３０は、例えば樹脂製板材、或いは金屬板となる。化粧シート４０が、家具や電気製品をなす場合、ボード３０は、例えば木製板材や樹脂製板材となる。なお、発光装置２０の建材パネルへの適用において、ボード３０は、耐燃性や耐火性を有していることが好ましい。
【００９３】
なお、図１２では、留具２２の図示にともなって、化粧シート４０が、ボード３０及び面光源部５０との間に隙間を空けて図示されている。しかしながら、隙間をあけることなくボード３０及び面光源部５０に貼合されるようにしてもよい。
【００９４】
更に、他の例として、図１３に示すように、光拡散板５６を省略してもよい。図１３の例において、発光面５０ａは、化粧シート４０の外表面となる。図示されている例において、導光板６０から射出された光は、化粧シート４０に入射し、化粧シート４０の発光面５０ａから空間Ｓに射出される。図１３の例によれば、光拡散板５６を省略することで、部品点数を削減することができる。
【００９５】
更に、他の例として、取出要素６１は、図１４に示すように、導光板本体６５に積層された光散乱層６６とすることができる。図１４に示された例において、導光板６０は、導光板本体６５および光散乱層６６を有している。光散乱層６６は、バインダーとして機能する支持層６６ａと、支持層６６ａ内に分散した光散乱要素６６ｂと、を有している。支持層６６ａは、可視光透過性を有した樹脂から形成され得る。光散乱要素６６ｂは、反射、屈折、回折等によって、光散乱層６６内を進行する光の進行方向を変化させる機能を有している。光散乱要素６６ｂは、支持層６６ａと異なる屈折率を有していてもよいし、金属等の光反射性を有した材料によって形成されていてもよい。光散乱要素６６ｂの具体例として、金属化合物、気体を含有した多孔質物質、金属化合物を周囲に保持した樹脂ビーズ、白色微粒子、気泡、周囲と屈折率が異なる粒子が、例示され得る。図１４に示された例において、出光面６０ａ及び裏面６０ｂでの反射により導光板６０内を進む光Ｌ１，Ｌ２は、光散乱層６６内で光散乱要素６６ｂと衝突することで進行方向を変化させ、その後、導光板６０から出射することが可能となる。
【００９６】
なお、図１４の例において、光散乱層６６の支持層６６ａの屈折率は、導光板本体６５の屈折率以上となっていることが好ましい。光散乱層６６の支持層６６ａの屈折率が導光板本体６５の屈折率よりも低いと、導光板本体６５内を進む光Ｌ４が、導光板本体６５と光散乱層６６との界面で全反射して、光散乱層６６に入射できない可能性がある。このような光Ｌ４は、入光面６０ｃから導光板６０に入射した後、導光板本体６５内を反対面６０ｄまで進むことになる。このような光の存在は、光源５１のエネルギー効率が低下させてしまうことになる。支持層６６ａの屈折率を導光板本体６５の屈折率以上とすることで、導光板本体６５と光散乱層６６との界面での全反射を効果的に防止して、光散乱層６６が取出要素６１としてより効果的に機能し得る。
【００９７】
更に、他の例として、図１５に示すように、取出要素６１として機能する光散乱要素６７が、導光板本体６５内に分散していてもよい。図１５に示された導光板６０では、導光板本体６５内を進む光Ｌ５が、光散乱要素６７に衝突することで散乱し、導光板６０から出射することができる。光散乱要素６７としては、上述した光散乱要素６６ｂと同様に構成され得る。
【００９８】
また、導光板６０は、複数種類の取出要素６１を含むようにしてもよい。図１５に示された例において、導光板６０の導光板本体６５は、光散乱要素６７を含有し、さらに導光板６０の裏面６０ｂを構成する凹凸面６５ａを有している。
【００９９】
さらに、導光板６０の各領域での取出要素６１に起因した光散乱能は、一定ではなく、異なっていてもよい。すなわち、導光板６０の光散乱能が、板面に沿った各領域で変化するようにしてもよい。さらに言い換えると、導光板６０の或る領域での光散乱能は、当該領域から板面に沿ってずれた他の領域での光散乱能と異なっていてもよい。導光板６０のパネル面に沿った各領域での光散乱能を変化させることにより、各領域からの出射光量を調節することが可能となる。光散乱能は、導光板６０がその内部を通過する光を散乱させる性能の強さのことである。光散乱能の程度は、一例として、ＪＩＳ−Ｋ７３６１−１に準拠して測定されるヘイズ値［％］を用いて評価することができ、ヘイズ値［％］が高いと、光散乱能が高いということになる。したがって、図示された例では、導光板６０の板面への法線方向に透過する透過ヘイズ値が、導光板６０の各領域で一定ではなく、異なる値を持つようになる。ヘイズ値［％］は、ヘイズメーター（村上色彩技術研究所製、製品番号；ＨＭ−１５０）を用いてＪＩＳ  Ｋ７１３６に準拠した方法により測定することができる。
【０１００】
更に、他の例として、図１６および図１７に示すように、導光板６０は、鉛直方向ｄ１における下側ｓ２となる端部領域に、可視光吸収性を有した吸収部６８を含んでいてもよい。吸収部６８は、例えば可視光吸収性を有した顔料、例えばカーボンブラックやチタンブラックを含む層とすることができる。図１６の例において、吸収部６８は、導光板本体６５の下側ｓ２の端面を覆っている。図１７の例においては、導光板本体６５の一対の主面が、下側ｓ２の端部領域において、互いに接近するように導光板本体６５の板面に対して傾斜しており、この傾斜面上に吸収部６８が設けられている。図１６および図１７の例によれば、吸収部６８が、導光板本体６５内を下側ｓ２の端部領域まで進んだ光Ｌ６，Ｌ７を吸収することで、反対面６０ｄからの漏れ光の発生を防止することができる。
【０１０１】
更に、他の例として、図１８に示すように、導光板６０は、鉛直方向ｄ１における下側ｓ２となる端部領域に、可視光反射性を有した反射部６９を含んでいてもよい。反射部６９は、銀やアルミニウム等の反射率の高い材料を用いて形成され得る。図１８の例において、反射部６９は、導光板本体６５の下側ｓ２の端面を覆っている。反射部６９は、導光板本体６５内を下側ｓ２の端部領域まで進んだ光Ｌ８を反射することで、当該光Ｌ８の鉛直方向ｄ１に沿った進行方向を折り返させる。この光Ｌ８は、その後に、取出要素６１に衝突することで有効に利用され得る光となる。すなわち、反射部６９を設けることで、反対面６０ｄからの光の漏れ出しを効果的に防止することができるとともに、光源５１から射出した光の利用効率を効果的に改善することができる。
【０１０２】
さらに、図１９に示された例によっても、反対面６０ｄからの光の漏れ出しを効果的に防止することができる。図１９の例において、導光板６０の一対の主面６０ａ，６０ｂは、導光方向である鉛直方向ｄ１に対して傾斜している。一対の主面６０ａ，６０ｂは、鉛直方向ｄ１に上側ｓ１から下側ｓ２に向けて次第に接近していく。そして、この導光板６０では、実質的に鉛直方向ｄ１に沿って入光面６０ｃに対向する反対面６０ｄが存在しない。図１９に示された導光板６０内を上側ｓ１から下側ｓ２へ進む光Ｌ９は、導光板６０の厚さが下側ｓ２に向けて薄くなっていくことから、主面６０ａ，６０ｂに入射しやすくなる。すなわち、鉛直方向ｄ１における上側ｓ１から下側ｓ２へ進む光が、鉛直方向ｄ１に沿った一定距離の間に、主面６０ａ，６０ｂに入射する頻度は、下側ｓ２において高くなる。そして、図１９に示された導光板６０において、導光板６０内を進む光の主面６０ａ，６０ｂへの入射角度は、主面６０ａ，６０ｂで反射する度に、小さくなっていく。つまり、図１９に示された例において、鉛直方向ｄ１に対して傾斜した主面６０ａ，６０ｂが取出要素６１として機能し、この主面６０ａ，６０ｂに対して下側ｓ２において光が入射しやすくなる。加えて、この導光板６０では、実質的に鉛直方向ｄ１に沿って入光面６０ｃに対向する反対面６０ｄが存在しない。以上のことから、図１９に示された導光板６０によっても、入光面６０ｃとは反対側となる下側ｓ２の端部領域からの光の漏れ出しを効果的に防止することができるとともに、光源５１から射出した光の利用効率を効果的に改善することができる。
【０１０３】
さらに、他の変形例として、上述してきた発光装置２０は、照明器具１５と組み合わせることなく単独で用いることもできる。この例においても、発光装置２０は、空間Ｓの雰囲気を演出することができ、さらに、空間Ｓを照明する機能を付与されてもよい。
【０１０４】
さらに、他の変形例として、図２０に示すように、化粧シート４０は、発光面５０ａに対面する発光領域Ｚ１を有する第１化粧シート４０１と、発光領域Ｚ１から離間して位置する非発光領域Ｚ２を有する第２化粧シート４０２と、を有し、第２化粧シート４０２は、下側ｓ２において第１化粧シート４０１から離間して位置していてもよい。図２０の例によれば、第１化粧シート４０１と第２化粧シート４０２との間に横目地ｊを設けることで、立体感を演出することができる。
【０１０５】
これまでは、発光面５０ａおよび反射板５７が平坦である発光装置２０の例について説明した。これに対して、図２１に示すように、発光面５０ａおよび反射板５７は、上側ｓ１から下側ｓ２に向かう方向ｄ１に対して湾曲していてもよい。発光面５０ａおよび反射板５７を湾曲させることで、発光装置２０から射出される光の方向の自由度を広げることができるので、空間の雰囲気を更に効果的に演出することができる。
【０１０６】
なお、以上において一実施の形態に対する具体例および変形例を説明してきたが、当然に、複数の例を適宜組み合わせて適用することも可能である。
【符号の説明】
【０１０７】
２０  発光装置
５０ａ  発光面
５１  光源
５７  反射板
５８  輝度調整層
【図１】
2019197678.tif 000003
【図２】
2019197678.tif 000004
【図３】
2019197678.tif 000005
【図４】
2019197678.tif 000006
【図５】
2019197678.tif 000007
【図６】
2019197678.tif 000008
【図７】
2019197678.tif 000009
【図８】
2019197678.tif 000010
【図９】
2019197678.tif 000011
【図１０】
2019197678.tif 000012
【図１１】
2019197678.tif 000013
【図１２】
2019197678.tif 000014
【図１３】
2019197678.tif 000015
【図１４】
2019197678.tif 000016
【図１５】
2019197678.tif 000017
【図１６】
2019197678.tif 000018
【図１７】
2019197678.tif 000019
【図１８】
2019197678.tif 000020
【図１９】
2019197678.tif 000021
【図２０】
2019197678.tif 000022
【図２１】
2019197678.tif 000023